【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
少なくとも１つの画像キャプチャ・デバイスのために、キャプチャされるべき１つまたは複数の被写体に関連付けられたフォーカス設定データであって、前記少なくとも１つの画像キャプチャ・デバイスのフォーカス状態を制御するのに使用可能な前記フォーカス設定データを生成することと関係するシステムであって、
ａ．少なくとも１つの第１の位置特定可能な被写体の現在の位置に関連付けられた第１の位置データを生成するように構造化され、構成された少なくとも１つの第１の位置データ・ジェネレータと、
ｂ．前記少なくとも１つの画像キャプチャ・デバイスの現在の位置に関連付けられた第２の位置データを生成するように構造化され、構成された少なくとも１つの第２の位置データ・ジェネレータと、
ｃ．前記第１の位置特定可能な被写体と前記少なくとも１つの画像キャプチャ・デバイスのイメージャ・フォーカス・ポイントの間の現在の距離を計算するように構造化され、構成された少なくとも１つの距離計算器であって、前記第１の位置データおよび前記第２の位置データを使用して前記現在の距離を生成するように構成された少なくとも１つの距離計算器とを備え、
ｄ．前記少なくとも１つの第１の位置データ・ジェネレータは、前記第１の位置データをワイヤレスで通信するように構造化され、構成された少なくとも１つの第１のワイヤレス・コミュニケータを備え、
ｅ．前記少なくとも１つの距離計算器は、
ｉ．前記少なくとも１つの第１のワイヤレス・コミュニケータとワイヤレスで通信することによって前記第１の位置データを獲得するように構造化され、構成された少なくとも１つの第２のワイヤレス・コミュニケータと、
ｉｉ．前記少なくとも１つの画像キャプチャ・デバイスの前記フォーカス状態を制御する少なくとも１つの画像フォーカス・イフェクタに前記計算された距離を通信するように構造化され、構成された少なくとも１つの距離データ・コミュニケータとを備え、
ｆ．前記少なくとも１つの第１の位置データ・ジェネレータは、前記少なくとも１つの第１の位置データ・ジェネレータの動きと前記少なくとも１つの第１の位置特定可能な被写体の動きを物理的に結合するように構成された少なくとも１つの第１のモーション・カプラを備え、
ｇ．前記少なくとも１つの第２の位置データ・ジェネレータは、前記少なくとも１つの第２の位置データ・ジェネレータの動きと前記少なくとも１つの画像キャプチャ・デバイスの動きを物理的に結合するように構成された少なくとも１つの第２のモーション・カプラを備えるシステム。
【請求項２】
前記少なくとも１つの距離データ・コミュニケータは、前記計算された現在の距離を表示するように構成された少なくとも１つの距離データ・ディスプレイを備える請求項１に記載のシステム。
【請求項３】
前記少なくとも１つの画像キャプチャ・デバイスに隣接して前記少なくとも１つの距離データ・ディスプレイを支持するように構造化され、構成された少なくとも１つの距離ディスプレイ・サポータをさらに備える請求項２に記載のシステム。
【請求項４】
ａ．前記少なくとも１つの第１の位置データ・ジェネレータは、前記第１の位置が導出可能である少なくとも１つの第１の無線信号をワイヤレスで送信するように構造化され、構成された少なくとも１つの無線周波数ＩＤ（ＲＦＩＤ）タグを備え、
ｂ．前記少なくとも１つの第２の位置データ・ジェネレータは、前記少なくとも１つの第１の無線信号を受信するように構造化され、構成された少なくとも１つのＲＦＩＤ信号受信器を備える請求項１に記載のシステム。
【請求項５】
ａ．前記少なくとも１つの第１の位置データ・ジェネレータは、
ｉ．前記少なくとも１つの第１の位置特定可能な被写体の現在の位置に関連付けられたＧＰＳ信号データを受信するように構造化され、構成された少なくとも１つの第１の全地球測位システム（ＧＰＳ）受信器と、
ｉｉ．前記ＧＰＳ信号データを処理して、前記第１の位置データを形成するように構造化され、構成された少なくとも１つの第１のＧＰＳ信号データ・プロセッサと、
ｉｉｉ．前記第１の位置データをワイヤレスで送信するように構造化され、構成された少なくとも１つの第１のワイヤレス送信機とを備え、
ｂ．前記少なくとも１つの第２の位置データ・ジェネレータは、前記少なくとも１つの画像キャプチャ・デバイスの現在の位置に関連付けられたＧＰＳ信号データを受信するように構造化され、構成された少なくとも１つの第２のＧＰＳ受信器を備え、
ｃ．前記少なくとも１つの距離計算器は、前記第１の位置データをワイヤレスで受信するように構造化され、構成された少なくとも１つのワイヤレス・データ受信器を備える請求項１に記載のシステム。
【請求項６】
前記少なくとも１つの画像キャプチャ・デバイス内で、キャプチャされるべき前記被写体の前記撮像に適切なフォーカス状態を確立するのを支援するように前記少なくとも１つの画像キャプチャ・デバイスの少なくとも１つのフォーカス・リングを操作するように構造化され、構成された少なくとも１つのフォロー・フォーカス・デバイスをさらに備える請求項３に記載のシステム。
【請求項７】
前記少なくとも１つの距離ディスプレイ・サポータは、前記少なくとも１つのフォロー・フォーカス・デバイスから前記少なくとも１つの距離データ・ディスプレイをサポートするように構成される請求項６に記載のシステム。
【請求項８】
前記少なくとも１つの距離計算器は、前記少なくとも１つの画像キャプチャ・デバイスの少なくとも１つの現在の画像フォーカス構成を獲得するように構造化され、構成された少なくとも１つのフォーカス設定獲得構成要素を備える請求項１に記載のシステム。
【請求項９】
前記少なくとも１つの距離計算器は、前記少なくとも１つの画像キャプチャ・デバイスの前記少なくとも１つの現在の画像フォーカス構成を表示するように構造化され、構成された少なくとも１つのフォーカス設定ディスプレイをさらに備える請求項８に記載のシステム。
【請求項１０】
前記少なくとも１つのフォーカス設定獲得構成要素は、現在のレンズＦストップ設定および現在のレンズ焦点距離から基本的に成るグループから選択された少なくとも１つの現在の画像フォーカス構成を獲得するように構成される請求項８に記載のシステム。
【請求項１１】
前記少なくとも１つの距離計算器は、
ａ．前記少なくとも１つの画像キャプチャ・デバイスの少なくとも１つのハードウェア構成に関連付けられたデータ・エントリをそれぞれが備える複数のキャリブレーション・レコードを記憶するように構造化され、構成されたストレージ・メモリと、
ｂ．前記複数の保存されたキャリブレーション・レコードのうちの選択された１つをユーザが取り出すのを支援するように構造化され、構成された少なくとも１つのキャリブレーション・ユーザ・インターフェースとをさらに備え、
ｃ．前記キャリブレーション・レコードの各レコードは、
ｉ．レンズＦストップ範囲、
ｉｉ．レンズ焦点距離範囲、および
ｉｉｉ．レンズ・フォーカス調整範囲から基本的に成るグループから選択された少なくとも１つのデータ・エントリを包含し、
ｄ．前記キャリブレーション・レコードは、前記少なくとも１つの画像キャプチャ・デバイスのフォーカス状態を制御するように前記少なくとも１つの画像フォーカス・イフェクタによって使用可能である請求項１に記載のシステム。
【請求項１２】
ａ．前記少なくとも１つの距離計算器は、前記少なくとも１つの第１の被写体に関する少なくとも１つの第１のフォーカス設定プロファイルを生成するように構造化され、構成された少なくとも１つの被写体プロファイル・ジェネレータをさらに備え、
ｂ．前記少なくとも１つの被写体プロファイル・ジェネレータは、前記第１の位置データ、前記第２の位置データ、および前記少なくとも１つの現在の画像フォーカス構成を使用して前記少なくとも１つの第１のフォーカス設定プロファイルを生成し、
ｃ．前記生成された少なくとも１つの第１のフォーカス設定プロファイルは、前記少なくとも１つの画像キャプチャ・デバイスのフォーカス状態を制御するように前記少なくとも１つの画像フォーカス・イフェクタによって使用可能である請求項１に記載のシステム。
【請求項１３】
ａ．前記少なくとも１つの画像フォーカス・イフェクタは、前記少なくとも１つの画像キャプチャ・デバイスのフォーカス・リングを自動的に操作するように構造化され、構成された少なくとも１つのサーボモータ駆動のフォロー・フォーカス・デバイスを備え、
ｂ．前記少なくとも１つの画像フォーカス・イフェクタは、前記少なくとも１つの画像キャプチャ・デバイス内で、前記生成された少なくとも１つの第１のフォーカス設定プロファイルに応答して、キャプチャされるべき前記被写体の前記撮像に適切なフォーカス状態を確立するのを支援するように構成される請求項１２に記載のシステム。
【請求項１４】
前記少なくとも１つのサーボモータ駆動のフォロー・フォーカス・デバイスは、
ａ．前記フォーカス状態の手動調整を可能にするように構成された少なくとも１つの手動で操作されるフォーカス・コントロールと、
ｂ．手動調整入力を検出するように構造化され、構成された少なくとも１つの手動操作検出器と、
ｃ．前記少なくとも１つの手動で操作されるフォーカス・コントロールの少なくとも１つの手動操作が検出されると、前記少なくとも１つのサーボモータ駆動のフォロー・フォーカス・デバイスの自動動作をオーバライドする少なくとも１つのサーボモータ・オーバライドとをさらに備える請求項１３に記載のシステム。
【請求項１５】
前記少なくとも１つの距離計算器は、
ａ．複数の位置特定可能な被写体を備えるセットの１つの位置特定可能な被写体を各データ・エントリが識別する少なくとも１つのマルチ被写体データ・セットと、
ｂ．前記少なくとも１つのマルチ被写体データ・セットの前記各データ・エントリに関して少なくとも１つのフォーカス設定プロファイルを生成するように構造化され、構成された少なくとも１つの被写体プロファイル・ジェネレータと、
ｃ．前記少なくとも１つのマルチ被写体データ・セットの少なくとも１つの前記データ・エントリをユーザが選択することを可能にするように構造化され、構成された少なくとも１つの位置特定可能な被写体セレクタとをさらに備え、
ｄ．それぞれの選択された前記少なくとも１つのフォーカス設定プロファイルは、前記少なくとも１つの画像キャプチャ・デバイスのフォーカス状態を制御するように前記少なくとも１つの画像フォーカス・イフェクタによって使用可能である請求項１に記載のシステム。
【請求項１６】
前記少なくとも１つの距離計算器は、前記少なくとも１つの位置特定可能な被写体に関して生成された前記少なくとも１つの第１のフォーカス設定プロファイルと前記少なくとも１つの他の位置特定可能な被写体に関して生成された少なくとも１つの他のフォーカス設定プロファイルの間で前記少なくとも１つの画像キャプチャ・デバイスの前記フォーカス状態を遷移させるように構造化され、構成された少なくとも１つの被写体フォーカス・トランジショナをさらに備える請求項１５に記載のシステム。
【請求項１７】
前記少なくとも１つの被写体フォーカス・トランジショナは、前記フォーカス状態の前記遷移の変化のレートをユーザが制御することを可能にするように構造化され、構成された少なくとも１つのユーザ遷移コントロールを備える請求項１６に記載のシステム。
【請求項１８】
前記少なくとも１つの距離計算器は、
ａ．ｉ．少なくとも１つのユーザ・インターフェースと、
ｉｉ．少なくとも１つのプロセッサと、
ｉｉｉ．メモリとを備える少なくとも１つのコンピューティング・デバイスと、
ｂ．前記メモリの中に記憶されて、前記少なくとも１つのプロセッサによって実行されるように構成され少なくとも１つのプログラムであって、
ｉ．前記少なくとも１つのユーザ・インターフェース上に少なくとも１つのメニューを表示するための命令であって、前記少なくとも１つのメニューは、少なくとも１つのユーザ選択可能なメニュー項目を備える命令と、
ｉｉ．前記少なくとも１つのユーザ選択可能なメニュー項目のうちの少なくとも１つに対応する少なくとも１つのユーザ入力を受け取るための命令とを備える少なくとも１つのプログラムとをさらに備える請求項１７に記載のシステム。
【請求項１９】
前記少なくとも１つのプログラムは、前記少なくとも１つの距離計算器が位置特定可能な被写体を自動的に探し求めるようにする命令をさらに備える請求項１８に記載のシステム。
【請求項２０】
前記少なくとも１つのユーザ・インターフェースは、少なくとも１つのタッチセンシティブ・ディスプレイを備える請求項１８に記載のシステム。
【請求項２１】
前記少なくとも１つのユーザ・インターフェースは、前記少なくとも１つの画像キャプチャ・デバイスによってキャプチャされた少なくとも１つの現在の画像を表示するように構成された少なくとも１つの現在の画像ウインドウを備える請求項１８に記載のシステム。
【請求項２２】
前記少なくとも１つのユーザ・インターフェースは、
ａ．前記少なくとも１つのキャリブレーション・ユーザ・インターフェースを可能にする少なくとも１つのユーザ選択可能なメニュー項目をさらに備え、
ｂ．前記少なくとも１つのキャリブレーション・ユーザ・インターフェースを可能にする前記少なくとも１つのユーザ選択可能なメニュー項目は、前記少なくとも１つの画像キャプチャ・デバイスの少なくとも１つのハードウェア構成の手動入力を可能にする少なくとも１つの少なくとも１つのユーザ選択可能なメニュー項目を備える請求項１８に記載のシステム。
【請求項２３】
前記少なくとも１つのユーザ・インターフェースは、前記第１の位置データと前記第２の位置データのうちの少なくとも１つのユーザ主導の獲得を可能にする少なくとも１つのユーザ選択可能なメニュー項目をさらに備える請求項１８に記載のシステム。
【請求項２４】
前記少なくとも１つのユーザ・インターフェースは、位置特定可能な被写体を少なくとも１つのユーザによって選択された名前にユーザが関連付けることを可能にする少なくとも１つのユーザ選択可能なメニュー項目をさらに備える請求項１８に記載のシステム。
【請求項２５】
前記少なくとも１つのユーザ・インターフェースは、前記少なくとも１つの被写体フォーカス・トランジショナの動作を可能にする少なくとも１つのユーザ選択可能なメニュー項目をさらに備える請求項１８に記載のシステム。
【請求項２６】
前記少なくとも１つのユーザ・インターフェースは、前記少なくとも１つのユーザ遷移コントロールの動作を可能にする少なくとも１つのユーザ選択可能なメニュー項目をさらに備える請求項２５に記載のシステム。
【請求項２７】
前記少なくとも１つのコンピューティング・デバイスは、少なくとも１つのポータブル・コンピューティング・デバイスを備える請求項１に記載のシステム。
【請求項２８】
システム内で動作する複数の画像キャプチャ・デバイスを制御するように構造化され、構成された少なくとも１つのシステム・コントローラをさらに備える請求項２７に記載のシステム。
【請求項２９】
前記少なくとも１つの画像キャプチャ・デバイスがビデオ・カメラである請求項１に記載のシステム。
【請求項３０】
ａ．前記少なくとも１つの第１の位置データ・ジェネレータは、前記第１の位置データが導出可能である少なくとも１つの第１の無線信号をワイヤレスで送信するように構造化され、構成された少なくとも１つの超広帯域タグを備え、
ｂ．前記少なくとも１つの第２の位置データ・ジェネレータは、前記少なくとも１つの第１の無線信号を受信するように構造化され、構成された少なくとも１つの超広帯域受信器を備える請求項１に記載のシステム。
【請求項３１】
少なくとも１つの画像キャプチャ・デバイスのために、キャプチャされるべき１つまたは複数の被写体に関連付けられたフォーカス設定データを生成することと関係するシステムであって、前記フォーカス設定データは、前記少なくとも１つの画像キャプチャ・デバイスのフォーカス状態を制御するように使用可能であり、前記システムは、
ａ．前記少なくとも１つのロケータ・タグに関連付けられたタグ付けされた被写体の現在の位置に関連付けられた第１の位置データを生成するように構造化され、構成された少なくとも１つのロケータ・タグと、
ｂ．前記少なくとも１つの画像キャプチャ・デバイスの現在の位置に関連付けられた第２の位置データを生成するように構造化され、構成された少なくとも１つの画像デバイス・ロケータと、
ｃ．前記位置特定可能な被写体と前記少なくとも１つの画像キャプチャ・デバイスのイメージャ・フォーカス・ポイントの間の現在の距離を計算するように構造化され、構成された少なくとも１つのコンピューティング・デバイスであって、前記少なくとも１つの距離計算器は、前記第１の位置データ、および前記第２の位置データを使用して前記現在の距離を生成するように構成される少なくとも１つのコンピューティング・デバイスと、
ｄ．前記計算された現在の距離を表示するように構成された少なくとも１つの距離データ・ディスプレイと、
ｅ．前記少なくとも１つの画像キャプチャ・デバイス内で、キャプチャされるべき被写体の撮像に適切なフォーカス状態を確立するのを支援するように前記少なくとも１つの画像キャプチャ・デバイスの少なくとも１つのフォーカス・リングを操作するように構造化され、構成された少なくとも１つのフォロー・フォーカス・デバイスとを備え、
ｆ．前記少なくとも１つのロケータ・タグは、前記第１の位置データをワイヤレスで通信するように構造化され、構成された少なくとも１つの第１のワイヤレス・コミュニケータを備え、
ｇ．前記少なくとも１つのコンピューティング・デバイスは、前記少なくとも１つの第１のワイヤレス・コミュニケータとワイヤレスで通信することによって第１の位置データを獲得するように構造化され、構成された少なくとも１つの第２のワイヤレス・コミュニケータを備え、
ｈ．前記少なくとも１つの距離データ・ディスプレイは、前記少なくとも１つのフォロー・フォーカス・デバイスに隣接して前記少なくとも１つの距離データ・ディスプレイを取り付けるのを支援するように構造化され、構成された少なくとも１つのディスプレイ・マウントを備える、システム。
【請求項３２】
前記少なくとも１つのディスプレイ・マウントは、前記少なくとも１つのフォロー・フォーカス・デバイスに隣接して前記少なくとも１つのコンピューティング・デバイスを取り付けるのを支援するように構造化され、構成された少なくとも１つのコンピューティング・デバイス・マウントを備える請求項３１に記載のシステム。
【請求項３３】
ａ．前記少なくとも１つの画像キャプチャ・デバイスの少なくとも１つの現在の画像フォーカス構成を獲得するように構造化され、構成された少なくとも１つのフォーカス設定獲得構成要素と、
ｂ．前記少なくとも１つの画像キャプチャ・デバイスの前記少なくとも１つの現在の画像フォーカス構成を表示するように構造化され、構成された少なくとも１つのフォーカス設定ディスプレイとをさらに備える請求項３２に記載のシステム。
【請求項３４】
前記少なくとも１つのコンピューティング・デバイスは、それぞれの前記タグ付けされた被写体に関して少なくとも１つのフォーカス設定プロファイルを生成するように構造化され、構成された少なくとも１つの被写体プロファイル・ジェネレータを備えるシステムであって、
ａ．前記少なくとも１つの被写体プロファイル・ジェネレータは、前記第１の位置データ、前記第２の位置データ、および前記少なくとも１つの現在の画像フォーカス構成を使用して前記少なくとも１つのフォーカス設定プロファイルを生成し、
ｂ．前記生成された少なくとも１つのフォーカス設定プロファイルのそれぞれが、前記少なくとも１つの画像キャプチャ・デバイスのフォーカス状態を制御するように使用可能である請求項３３に記載のシステム。
【請求項３５】
ａ．前記少なくとも１つの画像キャプチャ・デバイスのフォーカス・リングを自動的に操作するように構造化され、構成された少なくとも１つのサーボモータ駆動のフォロー・フォーカス・デバイスをさらに備えるシステムであって、
ｂ．少なくとも１つのサーボモータ駆動のフォロー・フォーカス・デバイスは、前記少なくとも１つのコンピューティング・デバイスによって制御され、
ｃ．前記少なくとも１つのサーボモータ駆動のフォロー・フォーカス・デバイスは、前記少なくとも１つの画像キャプチャ・デバイス内で、キャプチャされるべき前記被写体の撮像に適切なフォーカス状態を確立するのを支援するように構成される請求項３４に記載のシステム。
【請求項３６】
前記少なくとも１つのコンピューティング・デバイスは、
ａ．少なくとも１つのユーザ・インターフェースと、
ｂ．少なくとも１つのプロセッサと、
ｃ．メモリと、
ｄ．少なくとも１つのプログラムとをさらに備え、前記少なくとも１つのプログラムは、前記メモリの中に記憶されて、前記少なくとも１つのプロセッサによって実行されるように構成され、前記少なくとも１つのプログラムは、
ｉ．前記少なくとも１つのユーザ・インターフェース上に少なくとも１つのメニューを表示するための命令であって、前記少なくとも１つのメニューは、少なくとも１つのユーザ選択可能なメニュー項目を備える命令と、
ｉｉ．前記少なくとも１つのユーザ選択可能なメニュー項目のうちの少なくとも１つに対応する少なくとも１つのユーザ入力を受け取るための命令とを備える請求項３５に記載のシステム。
【請求項３７】
前記少なくとも１つのユーザ・インターフェースは、少なくとも１つのタッチセンシティブ・ディスプレイを備える請求項３６に記載のシステム。
【請求項３８】
前記少なくとも１つのコンピューティング・デバイスは、前記少なくとも１つのサーボモータ駆動のフォロー・フォーカス・デバイスとワイヤレスで通信する請求項３６に記載のシステム。
【請求項３９】
少なくとも１つの画像キャプチャ・デバイスのために、前記少なくとも１つの画像キャプチャ・デバイスのフォーカス状態を制御するのに使用可能な、キャプチャされるべき１つまたは複数の被写体に関連付けられたフォーカス設定データを生成することと関係する方法であって、前記方法は、
ａ．少なくとも１つのロケータ・タグに関連付けられたタグ付けされた被写体の現在の位置に関連付けられた第１の位置データを生成するように構造化され、構成された少なくとも１つのロケータ・タグを提供するステップと、
ｂ．前記少なくとも１つの画像キャプチャ・デバイスの現在の位置に関連付けられた第２の位置データを生成するように構造化され、構成された少なくとも１つの画像デバイス・ロケータを提供するステップと、
ｃ．前記位置特定可能な被写体と前記少なくとも１つの画像キャプチャ・デバイスのイメージャ・フォーカス・ポイントの間の現在の距離を計算するように構造化され、構成された少なくとも１つのコンピューティング・デバイスを提供するステップと、
ｄ．前記第１の位置データ、および前記第２の位置データを使用して前記現在の距離を生成するステップと、
ｅ．計算された現在の距離を表示するように構成された少なくとも１つの距離データ・ディスプレイを提供するステップと、
ｆ．前記少なくとも１つの画像キャプチャ・デバイス内で、キャプチャされるべき前記被写体の撮像に適切なフォーカス状態を確立するのを支援するように前記少なくとも１つの画像キャプチャ・デバイスの少なくとも１つのフォーカス・リングを操作するように構造化され、構成された少なくとも１つのフォロー・フォーカス・デバイスを提供するステップと、
ｇ．表示された前記計算された現在の距離に応答して前記少なくとも１つの画像キャプチャの前記少なくとも１つのフォーカス・リングを操作するステップとを備え、
ｈ．前記少なくとも１つのロケータ・タグは、前記第１の位置データをワイヤレスで通信するように構造化され、構成された少なくとも１つの第１のワイヤレス・コミュニケータを備え、
ｉ．前記少なくとも１つのコンピューティング・デバイスは、前記少なくとも１つの第１のワイヤレス・コミュニケータとワイヤレスで通信することによって前記第１の位置データを獲得するように構造化され、構成された少なくとも１つの第２のワイヤレス・コミュニケータを備え、
ｊ．前記少なくとも１つの距離データ・ディスプレイは、前記少なくとも１つのフォロー・フォーカス・デバイスに隣接して、前記少なくとも１つの距離データ・ディスプレイを取り付けるのを支援するように構造化され、構成された少なくとも１つのディスプレイ・マウントを備える、方法。
【請求項４０】
少なくとも１つの画像キャプチャ・デバイスのために、キャプチャされるべき１つまたは複数の被写体に関連付けられ、前記少なくとも１つの画像キャプチャ・デバイスのフォーカス状態を制御するのに使用可能な前記フォーカス設定データを生成することと関係するシステムであって、
ａ．少なくとも１つの第１の位置特定可能な被写体の現在の位置に関連付けられた第１の位置データを生成するように構造化され、構成された少なくとも１つの第１の位置データ・ジェネレータと、
ｂ．前記少なくとも１つの画像キャプチャ・デバイスの現在の位置に関連付けられた第２の位置データを生成するように構造化され、構成された少なくとも１つの第２の位置データ・ジェネレータと、
ｃ．前記第１の位置特定可能な被写体と前記少なくとも１つの画像キャプチャ・デバイスのイメージャ・フォーカス・ポイントの間の現在の距離を計算するように構造化され、構成された少なくとも１つの距離計算器であって、前記第１の位置データおよび前記第２の位置データを使用して前記現在の距離を生成するように構成された少なくとも１つの距離計算器とを備え、
ｄ．前記少なくとも１つの第１の位置データ・ジェネレータは、前記第１の位置データをワイヤレスで通信するように構造化され、構成された少なくとも１つの第１のワイヤレス・コミュニケータを備え、
ｅ．前記少なくとも１つの距離計算器は、
ｉ．前記少なくとも１つの第１のワイヤレス・コミュニケータとワイヤレスで通信することによって前記第１の位置データを獲得するように構造化され、構成された少なくとも１つの第２のワイヤレス・コミュニケータと、
ｉｉ．前記少なくとも１つの画像キャプチャ・デバイスの前記フォーカス状態を制御する少なくとも１つの画像フォーカス・イフェクタに前記計算された距離を通信するように構造化され、構成された少なくとも１つの距離データ・コミュニケータと、
ｉｉｉ．少なくとも１つのマルチ被写体データ・セットであって、前記少なくとも１つのマルチ被写体データ・セットの各データ・エントリは複数の位置特定可能な被写体を含むセットのうち１つの位置特定可能な被写体を識別する、少なくとも１つのマルチ被写体データ・セットと、
ｉｖ．前記少なくとも１つのマルチ被写体データ・セットの前記各データ・エントリについて少なくとも１つのフォーカス設定プロファイルを生成するように構造化され、構成された少なくとも１つの被写体プロファイル・ジェネレータと、
ｖ．少なくとも１つのマルチ被写体データ・セットの少なくとも１つのデータ・エントリのユーザ選択を可能にするように構造化され、構成された少なくとも１つの位置特定可能な被写体セレクタと、
ｖｉ．前記少なくとも１つのフォーカス設定プロファイルは、前記少なくとも１つの画像フォーカス・イフェクタによって使用可能であり、前記少なくとも１つの画像キャプチャ・デバイスの前記フォーカス状態を制御し、
ｖｉｉ．前記少なくとも１つの画像キャプチャ・デバイスの少なくとも１つのハードウェア構成に関連するデータ・エントリをそれぞれ含む複数のキャリブレーション・レコードを記憶するように構造化され、構成されたストレージ・メモリと、
ｖｉｉｉ．保存された複数のキャリブレーション・レコードのうちの選択された１つのユーザ検索を支援するように構造化され、構成された少なくとも１つのキャリブレーション・ユーザ・インターフェースと、
ｉｘ．前記キャリブレーション・レコードの各々は、
ａ．レンズＦストップ範囲と、
ｂ．レンズ焦点距離範囲と、
ｃ．レンズ・フォーカス調整範囲と
から基本的に成る群から選択された少なくとも１つのデータ・エントリを含み、
ｘ．前記キャリブレーション・レコードは、前記少なくとも１つの画像キャプチャ・デバイスのフォーカス状態を制御するために、前記少なくとも１つの画像フォーカス・イフェクタによって使用可能である、システム。
【請求項４１】
少なくとも１つの画像キャプチャ・デバイスのために、キャプチャされるべき１つまたは複数の被写体に関連付けられ、前記少なくとも１つの画像キャプチャ・デバイスのフォーカス状態を制御するのに使用可能な前記フォーカス設定データを生成することと関係するシステムであって、
ａ．少なくとも１つのロケータ・タグに関連付けられたタグ付き被写体の現在の位置に関連付けられた第１の位置データを生成するように構造化され、構成された少なくとも１つのロケータ・タグと、
ｂ．少なくとも１つの画像キャプチャ・デバイスの現在の位置に関連付けられた第２の位置データを生成するように構造化され、構成された少なくとも１つの画像デバイス・ロケータと、
ｃ．位置特定可能な被写体と少なくとも１つの画像キャプチャ・デバイスのイメージャ・フォーカス・ポイントの間の現在の距離を計算するように構造化され、構成された少なくとも１つのコンピューティング・デバイスであって、前記少なくとも１つの距離計算器は、第１の位置データと前記第２の位置データを使用して現在の距離を生成するように構成されている、コンピューティング・デバイスと、
ｄ．計算された現在の距離を表示するように構成された少なくとも１つの距離データ・ディスプレイと、
ｅ．前記少なくとも１つの画像キャプチャ・デバイス内で、前記少なくとも１つの画像キャプチャ・デバイスの少なくとも１つのフォーカス・リングを操作するように構造化され、構成された少なくとも１つのフォロー・フォーカス・デバイスであって、キャプチャされるべき被写体の撮像に適切なフォーカス状態を確立するのを支援する、少なくとも１つのフォロー・フォーカス・デバイスと、を備え
ｆ．前記少なくとも１つのロケータ・タグは、前記第１の位置データを無線で通信するように構造化され、構成された少なくとも１つの第１のワイヤレス・コミュニケータを含み、
ｇ．前記少なくとも１つのコンピューティング・デバイスは、前記少なくとも１つの第１のワイヤレス・コミュニケータとワイヤレスで通信することによって前記第１の位置データを取得するように構造化され、構成された少なくとも１つの第２のワイヤレス・コミュニケータを備え、そして
ｈ．前記少なくとも１つの距離計算器は、さらに、
ｉ．少なくとも１つのマルチ被写体データ・セットであって、少なくとも１つのマルチ被写体データ・セットの各データ・エントリは、複数の位置特定可能な被写体を含むセットの１つの位置特定可能な被写体を識別する、少なくとも１つのマルチ被写体データ・セットと、
ｉｉ．前記少なくとも１つのマルチ被写体データ・セットの各データ・エントリに対して、少なくとも１つのフォーカス設定プロファイルを生成するように構造化され、構成された少なくとも１つの被写体プロファイル・ジェネレータと、
ｉｉｉ．前記少なくとも１つのマルチ被写体データ・セットの少なくとも１つのデータ・エントリのユーザ選択を可能にするように構造化され、構成された少なくとも１つの位置特定可能な被写体セレクタと、
ｉｖ．それぞれ選択された前記少なくとも１つのフォーカス設定プロファイルは、前記少なくとも１つの画像フォーカス・イフェクタによって使用可能であり、前記少なくとも１つの画像キャプチャ・デバイスの前記フォーカス状態を制御し、
ｖ．前記少なくとも１つの画像キャプチャ・デバイスの少なくとも１つのハードウェア構成に関連するデータ・エントリを各々が含む、複数のキャリブレーション・レコードを記憶するように構造化され、構成されたストレージ・メモリと、
ｖｉ．保存された複数のキャリブレーション・レコードのうちの選択された１つのユーザ検索を支援するように構造化され、構成された少なくとも１つのキャリブレーション・ユーザ・インターフェースと、を備え、
ｖｉｉ．前記キャリブレーション・レコードの各々は、
ａ．レンズＦストップ範囲と、
ｂ．レンズ焦点距離範囲と、
ｃ．レンズ・フォーカス調整範囲と
から基本的に成る群から選択された少なくとも１つのデータ・エントリを含み、
前記キャリブレーション・レコードは、前記少なくとも１つの画像キャプチャ・デバイスのフォーカス状態を制御するために、前記少なくとも１つの画像フォーカス・イフェクタによって使用可能である、システム。
【請求項４２】
少なくとも１つの画像キャプチャ・デバイスのために、キャプチャされるべき１つ又は複数の被写体に関連付けられ、前記少なくとも１つの画像キャプチャ・デバイスのフォーカス状態を制御するのに使用可能な前記フォーカス設定データを生成することと関係する方法であって、該方法は、
ａ．前記少なくとも１つのロケータ・タグに関連付けられたタグ付き被写体の現在位置に関連付けられた第１の位置データを生成するように構造化され、構成された少なくとも１つのロケータ・タグを提供するステップと、
ｂ．前記少なくとも１つの画像キャプチャ・デバイスの現在位置に関連する第２の位置データを生成するように構造化され、構成された少なくとも１つの画像デバイス・ロケータを提供するステップと、
ｃ．前記位置特定可能な被写体と、前記少なくとも１つの画像キャプチャ・デバイスのイメージャ・フォーカス・ポイントとの間の現在の距離を計算するように構造化され、構成された少なくとも１つのコンピューティング・デバイスを提供するステップと、
ｄ．前記第１の位置データと前記第２の位置データを用いて前記現在の距離を生成するステップと、
ｅ．計算された現在の距離を表示するように構成された少なくとも１つの距離データ・ディスプレイを提供するステップと、
ｆ．前記少なくとも１つの画像キャプチャ・デバイス内で、キャプチャされるべき被写体の撮像に適切なフォーカス状態を確立するのを支援するように、前記少なくとも１つの画像キャプチャ・デバイスの少なくとも１つのフォーカス・リングを操作するように構造化され、構成された少なくとも１つのフォロー・フォーカス・デバイスを提供するステップと、
ｇ．表示された前記計算された現在の距離に応答して、前記少なくとも１つの画像キャプチャの前記少なくとも１つのフォーカス・リングを操作するステップと、
ｈ．前記少なくとも１つのロケータ・タグは、第１の位置データをワイヤレスで通信するように構造化され、構成された少なくとも１つの第１のワイヤレス・コミュニケータを含み、
ｉ．前記少なくとも１つのコンピューティング・デバイスは、前記少なくとも１つの第１のワイヤレス・コミュニケータとワイヤレスで通信することによって、前記第１の位置データを取得するように構造化され、構成された少なくとも１つの第２のワイヤレス・コミュニケータを備え、そして
ｊ．前記少なくとも１つの距離計算器は、さらに、
ａ．少なくとも１つのマルチ被写体データ・セットであって、前記少なくとも１つのマルチ被写体データ・セットの各データ・エントリは、複数の位置特定可能な被写体を含むセットのうち１つの位置特定可能な被写体を識別する、少なくとも１つのマルチ被写体データ・セットと、
ｂ．前記少なくとも１つのマルチ被写体データ・セットの各データ・エントリに対して少なくとも１つのフォーカス設定プロファイルを生成するように構造化され、構成された少なくとも１つの被写体プロファイル・ジェネレータと、
ｃ．前記少なくとも１つのマルチ被写体データ・セットの少なくとも１つのデータ・エントリのユーザ選択を可能にするように構造化され、構成された少なくとも１つの位置特定可能な被写体セレクタと、
ｄ．それぞれ選択された前記少なくとも１つのフォーカス設定プロファイルが、前記少なくとも１つの画像フォーカス・イフェクタによって使用可能であり、前記少なくとも１つの画像キャプチャ・デバイスの前記フォーカス状態を制御し、
ｅ．前記少なくとも１つの画像キャプチャ・デバイスの少なくとも１つのハードウェア構成に関連するデータ・エントリをそれぞれ含む複数のキャリブレーション・レコードを記憶するように構造化され、構成された記憶メモリと、
ｆ． 保存された複数のキャリブレーション・レコードのうちの選択された１つのユーザ検索を支援するように構造化され、構成された少なくとも１つのキャリブレーション・ユーザ・インターフェースと、を備え、
ｇ．前記キャリブレーション・レコードの各々は、
ｉ．レンズＦストップ範囲と、
ｂ．レンズ焦点距離範囲と、
ｃ．レンズ・フォーカス調整範囲と
から基本的に成る群から選択された少なくとも１つのデータ・エントリを含み、
ｈ． 前記キャリブレーション・レコードは、前記少なくとも１つの画像キャプチャ・デバイスのフォーカス状態を制御するために、前記少なくとも１つの画像フォーカス・イフェクタによって使用可能である、方法。